(57)【特許請求の範囲】
【請求項１】
複数台の照明器具を、リモコン装置から発信した所定のワイヤレス信号によって制御する構成のリモコン式照明システムにおいて、
上記リモコン装置は、上記照明器具にワイヤレス信号を送信するとともに上記照明器具からのワイヤレス信号を受信するための通信部を備え、
上記照明器具は、上記リモコン装置にワイヤレス信号を送信するとともに上記リモコン装置からのワイヤレス信号を受信するための通信部と、上記ワイヤレス信号に基づいて自身を制御する制御処理部と、自身に固有のＩＤ情報と自身が選択状態であるか非選択状態であるかを記憶する記憶部と、自身が選択状態であるか非選択状態であるかを報知する報知手段とを備え、
上記リモコン装置は、照明器具を選択状態にする第１信号を上記通信部により送信するための第１操作部と、照明器具の選択状態を確認する第２信号を上記通信部により送信するための第２操作部を備え、
上記照明器具の制御処理部は、上記第１信号を受信したときに自身を選択状態にし、上記第２信号を受信したときに自身のＩＤ情報と自身が選択状態か非選択状態かを示す情報を上記通信部より送信するものであり、
上記リモコン装置は、上記第２信号の送信に対する返信により受信したＩＤ情報と上記照明器具を選択状態にするための選択信号もしくは上記照明器具を非選択状態にする非選択信号を備えた第３信号を上記通信部より送信するための第３操作部を備え、
上記照明器具の制御処理部は、上記第３信号を受信したときに上記第３信号に含まれるＩＤ情報が自身を示す場合に、上記第３信号に含まれた選択信号もしくは非選択信号に応じて自身の状態を選択状態もしくは非選択状態として記憶部に記憶させるものであることによって、
上記複数の照明器具の中から、制御対象とする照明器具を選択することを特徴とする、リモコン式照明システム。
【請求項２】
上記リモコン装置は、制御対象として選択している照明器具を非選択にし、非選択の照明器具を選択する、選択切替機能を更に備えていることを特徴とする、請求項１に記載のリモコン式照明システム。
【請求項３】
上記照明器具の報知手段は、照明器具の光源とは別の光源であることを特徴とする、請求項１に記載のリモコン式照明システム。
【請求項４】
上記照明器具の報知手段は、光の照射方向を変化させる手段であることを特徴とする、請求項１に記載のリモコン式照明システム。
【請求項５】
上記照明器具の報知手段は、光の照射パターンを変化させる手段であることを特徴とする、請求項１に記載のリモコン式照明システム。
【請求項６】
上記照明器具の報知手段は、上記リモコン装置に対して所定のワイヤレス信号を発信する手段であることを特徴とする、請求項１に記載のリモコン式照明システム。
【請求項７】
上記リモコン装置は、制御対象として選択している照明器具のうち、その数未満の数の照明器具を選択したままとし、その他の照明器具を非選択にする、選択切替機能を更に備えていることを特徴とする、請求項１に記載のリモコン式照明システム。
【請求項８】
上記制御対象として選択している照明器具の数未満の数は、その選択している照明器具の数の半数又は約半数であることを特徴とする、請求項７に記載のリモコン式照明システム。
【請求項９】
上記リモコン装置は、上記照明器具の選択履歴に基づいて、選択回数が少ない照明器具を優先して選択することを特徴とする、請求項１に記載のリモコン式照明システム。
【請求項１０】
上記リモコン装置は、制御対象として選択している照明器具を非選択にし、非選択である照明器具の一部又は全部を選択する、選択切替機能を更に備えていることを特徴とする、請求項１に記載のリモコン式照明システム。
【請求項１１】
上記照明器具の一部とは、その直前には選択されていた照明器具であることを特徴とする、請求項１０に記載のリモコン式照明システム。
【請求項１２】
上記リモコン装置は、上記複数の照明器具の選択又は非選択を、その直前の選択又は非選択に戻す機能を更に備えていることを特徴とする、請求項１〜請求項１１のいずれかに記載のリモコン式照明システム。
【発明の詳細な説明】
【０００１】
【発明の属する技術分野】
本発明は、複数台の照明器具を、リモコン装置（リモートコントロール装置）から、赤外線などの無線媒体を用いて、遠隔制御する構成のリモコン式照明システムに関する。
【０００２】
【従来の技術】
従来から、天井や壁などに取り付けられた照明器具を、赤外線などの無線媒体を用いたリモコン装置によって遠隔制御するシステムがある。リモコン装置は、操作ボタンを操作すれば、ワイヤレス信号を発信し、これを受けた照明器具が点灯又は消灯、調光制御されるようになっている。
【０００３】
【発明が解決しようとする課題】
ところが、上記従来のリモコン式照明システムでは、狭い空間に複数台の照明器具が設置されている場合、リモコン装置から信号を発信すれば、照明器具の多くが受信してしまい、個別に制御できないという問題があった。この問題を解決するため、照明器具の各々に固有のアドレスを割り付けて、照明器具側で受信した信号を判別して制御を可能にするようになっているが、この場合、リモコン装置側では、操作時に、各照明器具の配置とアドレスとを対応させて記憶しておく必要があり、操作性がよいとは言えなかった。
【０００４】
本発明は、このような事情を考慮してなされたものであり、複数台の照明器具のアドレスを意識することなく、制御対象となる照明器具が選択できるリモコン式照明システムを提供することを目的としている。
【０００５】
【課題を解決するための手段】
上記目的を達成するために、本発明の請求項１に記載のリモコン式照明システムでは、複数台の照明器具を、リモコン装置から発信した所定のワイヤレス信号によって制御する構成のリモコン式照明システムにおいて、上記リモコン装置は、上記照明器具にワイヤレス信号を送信するとともに上記照明器具からのワイヤレス信号を受信するための通信部を備え、上記照明器具は、上記リモコン装置にワイヤレス信号を送信するとともに上記リモコン装置からのワイヤレス信号を受信するための通信部と、上記ワイヤレス信号に基づいて自身を制御する制御処理部と、自身に固有のＩＤ情報と自身が選択状態であるか非選択状態であるかを記憶する記憶部と、自身が選択状態であるか非選択状態であるかを報知する報知手段とを備え、上記リモコン装置は、照明器具を選択状態にする第１信号を上記通信部により送信するための第１操作部と、照明器具の選択状態を確認する第２信号を上記通信部により送信するための第２操作部を備え、上記照明器具の制御処理部は、上記第１信号を受信したときに自身を選択状態にし、上記第２信号を受信したときに自身のＩＤ情報と自身が選択状態か非選択状態かを示す情報を上記通信部より送信するものであり、上記リモコン装置は、上記第２信号の送信に対する返信により受信したＩＤ情報と上記照明器具を選択状態にするための選択信号もしくは上記照明器具を非選択状態にする非選択信号を備えた第３信号を上記通信部より送信するための第３操作部を備え、上記照明器具の制御処理部は、上記第３信号を受信したときに上記第３信号に含まれるＩＤ情報が自身を示す場合に、上記第３信号に含まれた選択信号もしくは非選択信号に応じて自身の状態を選択状態もしくは非選択状態として記憶部に記憶させるものであることによって、上記複数の照明器具の中から、制御対象とする照明器具を選択することを特徴とする。
【０００６】
請求項２では、請求項１において、リモコン装置は、制御対象として選択している照明器具を非選択にし、非選択の照明器具を選択する、選択切替機能を更に備えていることを特徴とする。
【０００７】
請求項３〜請求項６には、請求項１に記載の照明器具の報知手段について提案しており、請求項３では、照明器具の光源とは別の光源である。請求項４では、光の照射方向を変化させる手段である。請求項５では、光の照射パターンを変化させる手段である。請求項６では、リモコン装置に対して所定のワイヤレス信号を発信する手段である。
【０００８】
請求項７では、請求項１において、リモコン装置は、制御対象として選択している照明器具のうち、その数未満の数の照明器具を選択したままとし、その他の照明器具を非選択にする、選択切替機能を更に備えている。請求項８では、制御対象として選択している照明器具の数未満の数は、その選択している照明器具の数の半数又は約半数である。すなわち、選択している照明器具の数が偶数であれば半数とし、奇数であれば余りの１台を選択又は非選択とする。
【０００９】
請求項９では、請求項１において、リモコン装置は、照明器具の選択履歴に基づいて、選択回数が少ない照明器具を優先して選択する。
【００１０】
請求項１０では、請求項１において、リモコン装置は、制御対象として選択している照明器具を非選択にし、非選択である照明器具の一部又は全部を選択する、選択切替機能を更に備えている。請求項１１では、照明器具の一部とは、その直前に選択されていた照明器具である。
【００１１】
請求項１２では、請求項１〜請求項１１のいずれかにおいて、リモコン装置は、複数の照明器具の選択又は非選択を、その直前の選択又は非選択に戻す機能を更に備えている。
【００１２】
【発明の実施の形態】
以下に、本発明の実施の形態について、図面とともに説明する。図１はリモコン式照明システムの動作の一例を説明する図、図２はリモコン式照明システムの全体構成の一例を示した図、図３はリモコン式照明システムの内部構成の一例を示したブロック図、図４はリモコン装置の外観の一例を模式的に示す図である。
【００１３】
図２に示すように、以下には、リモコン装置１と、そのリモコン装置１のワイヤレス信号の送受信可能エリアに、８台の照明器具２（以下、各照明器具２を「照明１」〜「照明８」という）が設置されて構成されているシステムについて説明する。すなわち、各照明器具２には、「１」〜「８」のアドレス（固有ＩＤ）が付されているものとする。このように、リモコン装置１では、ワイヤレス信号の送受信可能範囲内にあるすべての照明器具２が選択可能である。
【００１４】
図３に示すように、リモコン装置１は、各部を制御するマイコン１０と、照明器具２との間でワイヤレス信号（リモコン信号）を送受信するための、リモコン送信部１１及びリモコン受信部１２と、各種ボタン１３と、自己の状態や各照明器具２に予め割り付けられたアドレスなどを記憶する記憶部１４と、電源である電池１５とを備える。
【００１５】
一方の照明器具２には、各部を制御するマイコン２０と、リモコン装置１との間でワイヤレス信号（リモコン信号）を送受信するための、リモコン送信部２１及びリモコン受信部２２と、ＬＥＤ２３と、自己の状態や予め割り付けられたアドレスなどを記憶する記憶部２４と、電源２５と、光源であるランプ２６とを備える。
【００１６】
また、リモコン装置１には、ボタン１３として、制御可能なすべての照明器具２を調べるために操作するＴＯＰボタン１３ｂと、制御対象とする照明器具２を絞り込むために操作する絞りボタン１３ｃと、照明器具２の選択と非選択とを反転するために操作する反転ボタン１３ｄと、照明器具２の選択と非選択とを直前の操作前の状態に戻す戻るボタン１３ｅと、その他操作ボタン１３ａとを備えている。
【００１７】
以下に、図１とともに、本発明システムの動作の一例を説明する。なお、図示する照明器具状態のうち、数字が表れている照明器具２は選択状態を示し、斜線で表されている照明器具２は非選択状態を示す。（０）まず、リモコン装置１のＴＯＰボタン１３ｂを操作して、すべての照明器具２に対して選択信号を発信する。すると、これを受信した送受信可能な照明器具２は、ＬＥＤ２３を点灯させて選択状態であることを示す。
【００１８】
（１）次に、絞りボタン１３ｃを操作する。信号を受信した照明器具２のうち選択状態のもの（「照明１〜８」）は、選択状態であることをリモコン装置１に返信する。この際、返信タイミングをランダムにしたり、複数回送信することによって、信号の衝突を回避している。リモコン装置１は、送受信可能な照明器具２のうち、半分の照明器具２（「照明１〜４」）に対して、各々のアドレスを指定して選択信号を発信する一方、その他の照明器具２（「照明５〜８」）に対して、各々のアドレスを指定して非選択信号を発信する。非選択となった照明器具２では、ＬＥＤ２３を消灯させる。
【００１９】
（２）この状態で、再度、絞りボタン１３ｃを操作する。信号を受信した照明器具２のうち選択状態のもの（「照明１〜４」）は、選択状態であることをリモコン装置１に返信する。非選択状態のもの（「照明５〜８」）は、非選択状態であることをリモコン装置１に返信する。リモコン装置１は、送受信可能な照明器具２のうち、半分の照明器具２（「照明１，２」）に対して、各々のアドレスを指定して選択信号を発信する一方、その他の照明器具２（「照明３，４」）に対して、各々のアドレスを指定して非選択信号を発信する。
【００２０】
（３）更に、選択する照明器具２を限定するときには、上記と同様に、再度、絞りボタン１３ｃを操作する。リモコン装置１は、送受信可能な照明器具２のうち、半分の照明器具２（「照明１」）に対して選択信号を発信する一方、その他の照明器具２（「照明２」）に対して非選択信号を発信する。
【００２１】
このように、本発明では、リモコン装置１は、照明器具２を特定しない所定の操作によって、複数の照明器具２の中から、制御対象とする照明器具２を選択することができる。図１では、８台の照明器具２（「照明１〜８」）の中から、１台の照明器具２（「照明１」）を選択する場合を示した。すなわち、リモコン装置１は、照明器具２を特定しない所定の操作によって、複数の照明器具２の中から、制御対象とする複数台の照明器具２を選択し、その対象を限定していくことができる。ここに、「照明器具を特定しない所定の操作」とは、従来のように、各照明器具のアドレスに対応して設けられたボタンを操作したり、アドレス番号などを入力してボタン操作をしたりしない、アドレスを意識しない操作をいい、リモコン装置は、上記照明器具にワイヤレス信号を送信するとともに上記照明器具からのワイヤレス信号を受信するための通信部を備え、上記照明器具は、上記リモコン装置にワイヤレス信号を送信するとともに上記リモコン装置からのワイヤレス信号を受信するための通信部と、上記ワイヤレス信号に基づいて自身を制御する制御処理部と、自身に固有のＩＤ情報と自身が選択状態であるか非選択状態であるかを記憶する記憶部と、自身が選択状態であるか非選択状態であるかを報知する報知手段とを備え、上記リモコン装置は、照明器具を選択状態にする第１信号を上記通信部により送信するための第１操作部と、照明器具の選択状態を確認する第２信号を上記通信部により送信するための第２操作部を備え、上記照明器具の制御処理部は、上記第１信号を受信したときに自身を選択状態にし、上記第２信号を受信したときに自身のＩＤ情報と自身が選択状態か非選択状態かを示す情報を上記通信部より送信するものであり、上記リモコン装置は、上記第２信号の送信に対する返信により受信したＩＤ情報と上記照明器具を選択状態にするための選択信号もしくは上記照明器具を非選択状態にする非選択信号を備えた第３信号を上記通信部より送信するための第３操作部を備え、上記照明器具の制御処理部は、上記第３信号を受信したときに上記第３信号に含まれるＩＤ情報が自身を示す場合に、上記第３信号に含まれた選択信号もしくは非選択信号に応じて自身の状態を選択状態もしくは非選択状態として記憶部に記憶させるものであることによって、上記複数の照明器具の中から、制御対象とする照明器具を選択することをいう。
【００２２】
本発明によれば、ＴＯＰボタン１３ｂと絞りボタン１３ｃの操作のみによって、希望する照明器具２を選択できるので、従来のように、リモコン装置１の操作者は、照明器具２の設置位置とアドレスとを対応させて記憶しておく必要がなく、操作性が向上する。また、大きな単位の範囲から、順に選択範囲を狭めていくので、迅速に、希望する照明器具２が選択できる。
【００２３】
なお、照明器具２は、リモコン装置１から発信された所定のワイヤレス信号を受信したときに、制御対象として選択されたことを報知する報知手段を備えている。図１には、照明器具２の光源２６とは別の光源であるＬＥＤ２３が点灯又は点滅する場合について説明したが、報知手段はこれには限定されない。
【００２４】
すなわち、光の照射方向を変化させる手段、光の照射パターンを変化させる手段、リモコン装置１に対して所定のワイヤレス信号を発信する手段などであってもよい。光の照射パターンの変化には、光の強弱や点滅サイクルの変化などがある。また、上記ワイヤレス信号の返信を受けたリモコン装置１は、ＬＥＤ（不図示）の点灯、ＬＣＤ（不図示）の表示、ブザー音や音声メッセージの出力などによって、選択した照明器具２を確認する。このように、リモコン装置１の操作者側で、選択された照明器具２の確認が容易にできる。
【００２５】
また、図１は、リモコン装置１は、制御対象として選択している照明器具２のうち、その数未満の数の照明器具２を選択したままとし、その他の照明器具２を非選択にする選択切替機能を備えている場合を示した。具体的には、制御対象として選択している照明器具２の数未満の数を、その選択している照明器具２の数の半数又は約半数とする。ここでは、照明器具２は全部で８台なので、８台→４台→２台→１台と選択を順に切り替えている。もしも、送受信可能な照明器具２の台数が奇数台であるときには、半分に割った余りの１台を選択、非選択のいずれかにすればよい。
【００２６】
また、リモコン装置１は、制御対象とする複数台の照明器具２を、所定の法則に従って選択する。図１では、所定の法則は、複数台の照明器具２の各々に割り付けられているアドレスに基づいており、アドレス値が小さいものを優先させている。逆にアドレス値が大きいものを優先させたり、アドレス値が奇数で小さいものを優先させる等としてもよい。
【００２７】
更に、リモコン装置１は、複数台の照明器具２の選択履歴を記憶部１４に記憶するようにして、所定の法則として、照明器具２の選択履歴に基づいて、照明器具２を選択するようにしてもよい。この場合、選択回数が少ない照明器具２を優先して選択する。そうすれば、各照明器具２において選択回数が均等になる。
【００２８】
次に、本発明システムの別の動作について図５とともに説明する。ここでは、図１の（０）の状態から、（１）絞りボタン１３ｃを操作したときに、選択可能な照明器具２（「照明１〜８」）から、選択状態であることの返信を受け、リモコン装置１が、送受信可能な照明器具２のうち、半分の照明器具２（「照明２，４，５，８」）に対して、各々のアドレスを指定して選択信号を発信し、その他の照明器具２（「照明１，３，６，８」）に対して、各々のアドレスを指定して非選択信号を発信したとする。
【００２９】
（２）ここでは、最終的に「照明１」を選択する場合としており、非選択状態のなった「照明１」を選択状態に戻すべく、リモコン装置１の反転ボタン１３ｄを操作する。すると、リモコン装置１は、記憶部１４に、直前の信号送信の状態（照明器具２の選択状態）を記憶しているので、状態（１）において選択状態にした照明器具（「照明２，４，５，８」）に対して、各々のアドレスを指定して非選択信号を発信する一方、その他の非選択状態にした照明器具２（「照明１，３，６，８」）に対して、各々のアドレスを指定して選択信号を発信する。すなわち、リモコン装置１は、制御対象として選択している照明器具２を非選択にし、非選択である照明器具２の全部を選択する選択切替機能を備えている。
【００３０】
続いて、選択状態にある照明器具２が２台以上であるときには、リモコン装置１では、絞りボタン１３ｃの操作がされなくても、絞りボタン１３ｃが操作されたときと同じ動作を行う。すなわち、リモコン装置１は、送受信可能な照明器具２のうち、半分の照明器具２（「照明１，６」）に対して、各々のアドレスを指定して選択信号を発信する一方、その他の照明器具２（「照明３，８」）に対して、各々のアドレスを指定して非選択信号を発信する。
【００３１】
（３）リモコン装置１は、更に、絞りボタン１３ｃを操作すると、送受信可能な照明器具２のうち、半分の照明器具２（「照明６」）に対して、選択信号を発信する一方、その他の照明器具２（「照明１」）に対して、各々のアドレスを指定して非選択信号を発信する。
【００３２】
（４）ところが、ここで、選択したい照明器具２（「照明１」）が非選択になっているので、リモコン装置１では、反転ボタン１３ｄを操作する。すると、直前のボタン操作（（３）絞りボタン１３ｃ操作）の前後の照明器具２の選択状態を記憶しているので、その操作後に選択を維持した照明器具２（「照明６」）に対して非選択信号を発信する一方、その操作後に選択から非選択に切り替えた照明器具２（「照明１」）に対して選択信号を発信する。なお、このときは、反転ボタン１３ｄを操作した後に、選択状態である照明器具２は１台のみであるので、状態（２）のときのように、自動的に絞りボタン１３ｃ操作時と同じ動作は行わない。
【００３３】
すなわち、リモコン装置１は、制御対象として選択している照明器具２を非選択にし、非選択である照明器具２の一部を選択する選択切替機能を備えている。また、ここでは、その照明器具２の一部を、その直前には選択されていた照明器具２にしている。
【００３４】
なお、本例では、リモコン装置１が各照明器具２の選択状態を記憶しているが、各照明器具２自身が自己の選択状態の履歴を記憶しておき、リモコン装置１からの反転ボタン１３ｄ操作によるコマンドを受信したときに、その履歴を基にして、自己を選択状態にするか、非選択状態にするかを判断してもよい。
【００３５】
次に、本発明システムの更に別の動作について図６とともに説明する。ここでは、図１の（３）の状態から、（４）戻るボタン１３ｅを操作すると、直前の選択状態（図１の状態（２））に戻るため、照明器具２（「照明１，２」）に対して選択信号を発信する。すなわち、リモコン装置１は、複数の照明器具２の選択又は非選択を、その直前の選択又は非選択に戻す機能を備えている。
【００３６】
（５）この状態で、リモコン装置１で反転ボタン１３ｄを操作すると、その直前のボタン操作（図１の状態（２）の絞りボタン１３ｃ操作）の前後の照明器具２の選択状態を記憶しているので、その操作後に非選択になった照明器具２（「照明３，４」）に対して選択信号を発信する一方、その操作後に選択を維持した照明器具２（「照明１，２」）に対して非選択信号を発信する。
【００３７】
続いて、選択状態にある照明器具２が２台以上であるときには、リモコン装置１は、絞りボタン１３ｃが操作されたときと同じ動作を行う。すなわち、リモコン装置１は、送受信可能な照明器具２のうち、半分の照明器具２（「照明３」）に対して選択信号を発信する一方、その他の照明器具２（「照明４」）に対して非選択信号を発信する。
【００３８】
このように、複数台の照明器具２があったとしても、絞りボタン１３ｃ、反転ボタン１３ｄ、戻るボタン１３ｅの操作を組み合わせることによって、選択範囲を大きい範囲から小さい範囲に限定していき、希望する照明器具２を迅速に選択することができる。
【００３９】
次に、リモコン装置の外観の別の構成を図７に示す。図７（ａ）のリモコン装置１Ａでは、ボタン１３として、切り替えボタン１３ｆとその他操作ボタン１３ａのみを備えている。すなわち、図４に示したように、ＴＯＰボタン１３ｂ、絞りボタン１３ｃ、反転ボタン１３ｄ、戻るボタン１３ｅを備えていない。
【００４０】
このリモコン装置１Ａでは、切り替えボタン１３ｆを操作すると、１台の照明器具２のみを選択し、その他の照明器具２を非選択とする。すなわち、リモコン装置１Ａは、照明器具２を特定しない所定の操作によって、複数の照明器具２の中から、制御対象とする１台の照明器具を選択する。
【００４１】
そして、再度、切り替えボタン１３ｆを操作すると、リモコン装置１Ａは、選択切り替え機能によって、制御対象として選択している照明器具２を非選択にし、非選択の照明器具２を選択する。例えば、リモコン装置１Ａは、複数台の照明器具２の各々に割り付けられているアドレスに基づいて、制御対象とする照明器具２を選択する。これによって、切り替えボタン１３ｆを操作する度に、アドレス番号が大きいもの又は小さいものから、１台ずつ順に選択することができる。このリモコン装置１Ａは、照明器具２の台数が比較的少ない場合に、目的とする１台の照明器具２を迅速に選択することができる。
【００４２】
なお、アドレスが小さいものから昇順に選択していく場合であって、切り替えボタン１３ｆの操作時に次に大きいアドレスがないときには、最も小さいアドレスの照明器具２を選択するようにする。これによって、複数台の照明器具２のサイクリックな選択が可能になる。また、ここでは、１台ずつ選択する場合を説明したが、複数台ずつ選択を切り替えていくようにしてもよい。
【００４３】
図７（ｂ）に示すリモコン装置１Ｂは、ボタン１３として、ＴＯＰボタン１３ｂ、絞りボタン１３ｃ、反転ボタン１３ｄ、戻るボタン１３ｅ、切り替えボタン１３ｆと、その他操作ボタン１３ａとを備えている。
【００４４】
すなわち、このリモコン装置１Ａは、図４に示したリモコン装置１と、図７（ａ）に示したリモコン装置１Ａの両方の機能を備えている。例えば、絞りボタン１３ｃの操作によって、照明器具２（「照明１〜４」）を選択した後、切り替えボタン１３ｆを操作すると、選択している照明器具２の中から、１台の照明器具２（「照明１」）のみを選択し、切り替えボタン１３ｆを操作する度に１台ずつ選択していくことができる（「照明２」→「照明３」→「照明４」）。
【００４５】
次に、リモコン式照明システムの参考例について説明する。図８には、リモコン１Ｃと照明器具２Ａの内部構成をブロック図で示しており、リモコン装置１Ｃは、各部を制御するマイコン１０と、照明器具２に対してワイヤレス信号を送信するためのリモコン送信部１１と、各種ボタン１３と、電源である電池１５とを備えている。一方の照明器具２Ａには、各部を制御するマイコン２０と、リモコン装置１Ｃからのワイヤレス信号を受信するためのリモコン受信部２２と、ＬＥＤ２３と、予め割り付けられたアドレスなどを記憶する記憶部２４と、電源２５と、光源であるランプ２６とを備えている。
【００４６】
リモコン装置１Ｃのボタン１３の構成は、図４に示したリモコン装置１と同じであり、ＴＯＰボタン１３ｂと、絞りボタン１３ｃと、反転ボタン１３ｄと、戻るボタン１３ｅと、その他の操作ボタン１３ａとを備えている。
【００４７】
ここでは、リモコン装置１Ｃはワイヤレス送信のみが、照明器具２Ａはワイヤレス受信のみが可能なので、まず、リモコン装置１ＣのＴＯＰボタン１３ｂが操作され、すべての照明器具２に対して選択信号を送信すると、これを受信した照明器具２は、ＬＥＤ２３を点灯させる。続いて、リモコン装置１Ｃの絞りボタン１３ｃが操作され、すべての照明器具２に対して選択信号を送信すると、これを受信した照明器具２は、１／２（５０％）の確率で選択状態を維持する。非選択状態になった照明器具２はＬＥＤ２３を消灯する。
【００４８】
すなわち、照明器具２の各々は、制御対象として選択されている状態で、リモコン装置１Ｃから所定のワイヤレス信号を受信したときには、所定の法則に従って、選択又は非選択にする。この所定の法則は、乱数に基づいた法則にすればよく、例えば、ランダムに１／２の確率で選択状態にすればよい。
【００４９】
このような構成にすれば、リモコン装置１Ｃにリモコン受信部（１２）を備える必要がないとともに、照明器具２Ａにリモコン送信部（２１）を備える必要がないので、コストが安くなる。
【００５０】
例えば、最初の絞りボタン１３ｃの操作によって、照明器具２（「照明１〜４」）が選択状態、その他の照明器具２（「照明５〜８」）が非選択状態となり、次の絞りボタン１３ｃの操作によって、照明器具２（「照明３，４」）が選択状態、その他の照明器具２（「照明１，２、５〜８」）が非選択状態になったときに、目的とする照明器具２（「照明１」）を選択状態にするためには、反転ボタン１３ｄを操作する。すると、この信号を受信した照明器具２は、直前の絞りボタン１３ｃが操作される前に選択状態であった照明器具２（「照明１，２」）は選択状態に戻り、その他の照明器具２（「照明３〜８」）は非選択状態となる。
【００５１】
また、上記の例では、反転ボタン１３ｄの代わりに、戻るボタン１３ｅを操作すれば、各照明器具２は直前の信号を受信する前の状態に戻る。すなわち、照明器具２（「照明１〜４」）が選択状態、その他の照明器具２（「照明５〜８」）が非選択状態となる。その後、絞りボタン１３ｃを操作などによって、目的とする照明器具２（「照明１」）のみを選択状態にすることが可能になる。
【００５２】
次に、本発明システムの別の動作について説明する。リモコン装置１Ｃと照明器具２Ａは図８と同じ構成であるが、各照明器具２Ａに、図９に示すようなアドレスが割り当てられているとする。ここでは、照明器具２の各々は、制御対象として選択されている状態で、リモコン装置１Ｃから所定のワイヤレス信号を受信したときには、予め割り付けられたアドレスに基づいて、選択又は非選択状態にする。
【００５３】
どの照明器具２も選択されていない状態で、リモコン装置１で絞りボタン１３ｃを操作すると、例えば、「アドレスの下１桁が偶数」という選択信号を送信する。この信号を受信した照明器具２では、その条件と一致するかを判断し、自らで選択又は非選択状態にする。図示した例では、３台の照明器具２（「照明２，４，６」）が選択状態になり、ＬＥＤ２３を点灯させる。
【００５４】
更に、リモコン装置１で絞りボタン１３ｃを操作すると、例えば、「アドレスの下２桁の各数値を足すと奇数」という選択信号を送信する。この信号を受信した選択状態である照明器具２では、その条件と一致するかを判断し、自らで選択又は非選択状態にする。図示した例では、３台のうち、２台の照明器具２（「照明４，６」）が選択状態のままになり、ＬＥＤ２３を点灯させる。一方、１台の照明器具２（「照明２」）が非選択状態になり、ＬＥＤ２３を消灯させる。
【００５５】
そして更に、リモコン装置１で絞りボタン１３ｃを操作すると、例えば、「アドレスの下３桁の各数値を足すと偶数」という選択信号を送信する。この信号を受信した選択状態である照明器具２では、その条件と一致するかを判断し、自らで選択又は非選択状態にする。図示した例では、２台のうち、１台の照明器具２（「照明６」）が選択状態のままになり、ＬＥＤ２３を点灯させる。一方、１台の照明器具２（「照明４」）が非選択状態になり、ＬＥＤ２３を消灯させる。
【００５６】
このように、ここでは、リモコン装置１は、同じボタンを操作しても、操作する度に、選択する照明器具２を限定していくような、異なる内容の信号を送信している。なお、アドレスを用いた信号は、上記したものには限定されず、「下１桁が奇数」、「下２桁の各数値を足すと偶数」、「下３桁の各数値を足すと奇数」などを用いてもよい。
【００５７】
なお、上記の方法で、目的とする照明器具２が非選択（ＬＥＤ２３が消灯）になってしまった場合は、反転ボタン１３ｄや戻るボタン１３ｅの操作により、目的とする照明器具２を選択状態にすればよい。また、ここでも、絞りボタン１３ｃ以外に、反転ボタン１３ｄや戻るボタン１３ｅの機能を組み合わせることもできる。
【００５８】
【発明の効果】
以上の説明からも理解できるように、本発明の請求項１〜請求項１２の各々に記載のリモコン式照明システムでは、リモコン装置の照明器具を特定しない所定の操作によって、複数の照明器具の中から、制御対象とする照明器具を選択することができるので、従来のように、リモコン装置の操作者は、照明器具の設置位置とアドレスとを対応させて記憶しておく必要がなく、操作性が向上する。
また、照明器具は、制御対象として選択されたことを報知するので、リモコン装置の操作者は、各照明器具の選択又は非選択状態が容易に分かる。
【００５９】
特に請求項２では、選択している照明器具を非選択にし、非選択の照明器具を選択することができる。
【００６０】
請求項７〜請求項１２では、リモコン装置は、大きな範囲から、順に選択範囲を狭めていくことが可能になり、迅速に、希望する照明器具が選択できるようになる。特に請求項９では、照明器具の選択履歴に基づいて、選択回数が少ない照明器具を優先して選択するので、選択回数を均等にできる。また、請求項１２では、複数の照明器具の選択又は非選択を、その直前の選択又は非選択に戻すことができるので、操作性が向上する。
【図面の簡単な説明】
【図１】  本発明のリモコン式照明システムの動作の一例を示す図である。
【図２】  本発明のリモコン式照明システムの全体構成の一例を示す図である。
【図３】  本発明のリモコン式照明システムの内部構成の一例を示すブロック図である。
【図４】  リモコン装置の外観の一例を模式的に示す図である。
【図５】  本発明のリモコン式照明システムの動作の他の例を示す図である。
【図６】  本発明のリモコン式照明システムの動作の他の例を示す図である。
【図７】  リモコン装置の外観の他の例を模式的に示す図である。
【図８】  リモコン式照明システムの内部構成の参考例を示すブロック図である。
【図９】  リモコン式照明システムの全体構成の参考例を示す図である。
【符号の説明】
１，１Ａ，１Ｂ，１Ｃ  リモコン装置
１３ｃ                絞りボタン
１３ｄ                反転ボタン
１３ｅ                戻るボタン
１３ｆ                切り替えボタン
２，２Ａ              照明器具
【図１】
0003896765.tif 000002
【図２】
0003896765.tif 000003
【図３】
0003896765.tif 000004
【図４】
0003896765.tif 000005
【図５】
0003896765.tif 000006
【図６】
0003896765.tif 000007
【図７】
0003896765.tif 000008
【図８】
0003896765.tif 000009
【図９】
0003896765.tif 000010